(57)【要約】【課題】簡易な構成で防滴性が高いロック機構付き防滴スライドスイッチを提供する。【解決手段】スライドスイッチは、ベース部材１に対してスライド可能で、つまみ部から延びた軸部２ｂがベース部材の穴部を貫通する操作部材２と、つまみ部のアンロック操作用穴部２ａに挿入された第１の凸部６ｂおよびベース部材の凹部１ｄ，１ｅに係合して操作部材のスライドを阻止する第２の凸部６ａを有するロック部材６と、第１の凸部の先端部分を覆うようにアンロック操作用穴部に嵌め込まれた撥水カバー部材３と、操作部材におけるつまみ部の裏面に接着された第１の撥水シート部材４と、ベース部材における操作部材がスライドする領域に接着された第２の撥水シート部材５と、ロック部材を第１の凸部が凹部に係合する方向に付勢するとともに、操作部材を第１のシート部材が第２のシート部材に圧接する方向に付勢する弾性部材７，８とを有する。【選択図】図１
2011141972.tif 000002
【特許請求の範囲】
【請求項１】
電子機器本体に固定されるベース部材と、
つまみ部を有して前記ベース部材に対してスライド可能に装着され、前記つまみ部から延びた軸部が前記ベース部材に形成されたスライド用穴部を貫通する操作部材と、
前記つまみ部に形成されたアンロック操作用穴部に挿入された第１の凸部および前記ベース部材に形成された凹部に係合して前記操作部材のスライドを阻止する第２の凸部を有するロック部材と、
撥水性を有し、前記第１の凸部のうち前記アンロック操作用穴部を貫通した先端部分を覆って前記アンロック操作用穴部に嵌め込まれ、該アンロック操作用穴部と間の隙間が接着剤によって埋められたカバー部材と、
撥水性を有し、前記操作部材における前記つまみ部の裏面に、前記第１の凸部と前記軸部の外周を囲むように接着された第１のシート部材と、
撥水性を有し、前記ベース部材における前記操作部材がスライドする領域に接着された第２のシート部材と、
前記ロック部材を前記第１の凸部が前記凹部に係合する方向に付勢するとともに、前記操作部材を前記第１のシート部材が前記第２のシート部材に圧接する方向に付勢する弾性部材とを有することを特徴とする防滴スライドスイッチ。
【請求項２】
電子機器本体に固定されるベース部材と、
つまみ部を有して前記ベース部材に対してスライド可能に装着され、前記つまみ部から延びた軸部が前記ベース部材に形成されたスライド用穴部を貫通する操作部材と、
前記つまみ部に形成されたロック操作用穴部に挿入された第１の凸部および前記ベース部材に形成された凹部に係合して前記操作部材のスライドを阻止する第２の凸部を有するロック部材と、
撥水性を有し、前記第１の凸部のうち前記アンロック操作用穴部を貫通した先端部分を覆い、かつ前記操作部材における前記つまみ部の裏面に、前記第１の凸部と前記軸部の外周を囲むように接着されたカバー部材と、
撥水性を有し、前記ベース部材における前記操作部材がスライドする領域に接着されたシート部材と、
前記ロック部材を前記第１の凸部が前記凹部に係合する方向に付勢するとともに、前記操作部材を前記カバー部材が前記シート部材に圧接する方向に付勢する弾性部材とを有することを特徴とする防滴スライドスイッチ。
【請求項３】
請求項１又は２に記載の防滴スライドスイッチを備えていることを特徴とする電子機器。
【発明の詳細な説明】
【技術分野】
【０００１】
本発明は、カメラや交換レンズ等の電子機器に使用されるスライドスイッチに関し、特に防滴構造と操作ロック構造を有するスライドスイッチに関する。
【背景技術】
【０００２】
防水性能が求められる電子機器にスライドスイッチを設ける場合、該スライドスイッチに防滴構造が与えられる。例えば、ベース部材に撥水性を有したシート部材を接着するとともに、つまみ部にも撥水性を有するシート部材を接着し、該シート部材同士を弾性力によって圧接させることで防滴構造を実現することが可能である。
また、上記のようなスライドスイッチには、スライド操作部材が不用意に動かないようにするために操作ロック構造が設けられる場合がある。特許文献１には、ロックボタン付スライドスイッチを操作できる電子機器用の防水ケースが開示されている。特許文献２にて開示された電子機器では、ハウジングに形成されたスライド収納部にスライド部材をスライド移動可能に収納し、ハウジングに回動自在に支持されると共にスライド部材のスライド動作を回動動作に変換する回動部材を有する。回動部材の軸部に装着されたＯリングは、該軸部とハウジングとの間を液密にシールする。
【先行技術文献】
【特許文献】
【０００３】
【特許文献１】特開２００２−９０８６９号公報
【特許文献２】特開２００６−１４７２５９号公報
【発明の概要】
【発明が解決しようとする課題】
【０００４】
上述したロック付スライドスイッチの防滴構造は、ハウジングや防水ケースを利用して構成されているため、電子機器が大型化するおそれがある。
本発明では、電子機器を大型化することなく、簡易な構成で防滴性が高いロック機構付き防滴スライドスイッチを提供する。
【課題を解決するための手段】
【０００５】
本発明の一側面としての防滴スライドスイッチは、電子機器本体に固定されるベース部材と、つまみ部を有してベース部材に対してスライド可能に装着され、つまみ部から延びた軸部がベース部材に形成されたスライド用穴部を貫通する操作部材と、つまみ部に形成されたアンロック操作用穴部に挿入された第１の凸部およびベース部材に形成された凹部に係合して操作部材のスライドを阻止する第２の凸部を有するロック部材と、撥水性を有し、第１の凸部のうちアンロック操作用穴部を貫通した先端部分を覆ってアンロック操作用穴部に嵌め込まれ、該アンロック操作用穴部と間の隙間が接着剤によって埋められたカバー部材と、撥水性を有し、操作部材におけるつまみ部の裏面に、第１の凸部と軸部の外周を囲むように接着された第１のシート部材と、撥水性を有し、ベース部材における操作部材がスライドする領域に接着された第２のシート部材と、ロック部材を第１の凸部が凹部に係合する方向に付勢するとともに、操作部材を第１のシート部材が第２のシート部材に圧接する方向に付勢する弾性部材とを有することを特徴とする。
また、本発明の他の一側面としての防滴スライドスイッチは、電子機器本体に固定されるベース部材と、つまみ部を有してベース部材に対してスライド可能に装着され、つまみ部から延びた軸部がベース部材に形成されたスライド用穴部を貫通する操作部材と、つまみ部に形成されたロック操作用穴部に挿入された第１の凸部およびベース部材に形成された凹部に係合して操作部材のスライドを阻止する第２の凸部を有するロック部材と、撥水性を有し、第１の凸部のうちアンロック操作用穴部を貫通した先端部分を覆い、かつ操作部材におけるつまみ部の裏面に、第１の凸部と軸部の外周を囲むように接着されたカバー部材と、撥水性を有し、ベース部材における操作部材がスライドする領域に接着されたシート部材と、ロック部材を第１の凸部が凹部に係合する方向に付勢するとともに、操作部材をカバー部材がシート部材に圧接する方向に付勢する弾性部材とを有することを特徴とする。
なお、上記防滴スライドスイッチを備えた電子機器も本発明の他の一側面を構成する。
【発明の効果】
【０００６】
本発明によれば、電子機器のハウジングや防水ケースを利用することによる電子機器の大型化を招かない、簡易な構造で防滴性が高いロック機構付き防滴スライドスイッチを実現できる。より具体的には、撥水性を有する第１および第２のシート部材又はカバー部材とシート部材を圧接させるだけでベース部材と操作部材（つまみ部）との摺動部分からの水滴の侵入を防ぐことができる。
【図面の簡単な説明】
【０００７】
【図１】本発明の実施例１であるスライドスイッチの構成を示す分解斜視図。
【図２】実施例１のスライドスイッチを裏面側から見たときの分解斜視図。
【図３】実施例１のスライドスイッチの断面図。
【図４】本発明の実施例２であるスライドスイッチの構成を示す分解斜視図。
【図５】実施例２のスライドスイッチを裏面側から見たときの分解斜視図。
【発明を実施するための形態】
【０００８】
以下、本発明の実施例について図面を参照しながら説明する。
【実施例１】
【０００９】
図１および図２には、本発明の実施例１であるロック機構付き防滴スライドスイッチを分解して示している。また、図３の（ａ）には、本実施例のスライドスイッチのロック部の断面を、（ｂ）にはスライドスイッチの中心部の断面をそれぞれ示している。
これらの図において、１はベース部材としてのスイッチパネルであり、図３に示すように、電子機器本体（例えば、デジタルカメラ、ビデオカメラ、交換レンズの本体）２０に固定される。
スイッチパネル１の表面には凹部１ａが形成されており、該凹部１ａ内には、後述するスイッチノブ（操作部材）２が矢印で示すスライド方向Ａにスライド可能に、かつスライド方向Ａと直交する方向には移動できないように配置（装着）される。また、凹部１ａの底面には、後述するスイッチノブ２の軸部２ｂが挿入される長穴部（スライド用穴部）１ｂが形成されている。
スイッチパネル１の裏面には凹部１ｃが形成されている。該凹部１ｃ内には、後述するロックレバー（ロック部材）６がスライド方向Ａにスライド可能に、かつスライド方向Ａと直交する方向には移動できないように配置されている。また、スイッチパネル１の裏面には、ロックレバー６の突起部（第２の凸部）６ａが係合してロックレバー６とスイッチノブ２のスライドを阻止するためのロック溝部（凹部）１ｄ，１ｅが形成されている。
さらに、スイッチパネル１の裏面には、後述するクリックバネ（第１の弾性部材）８のクリック爪８ａが係脱するクリック溝部１ｆ，１ｇが形成されている。スイッチパネル１の裏面に設けられた突起部１ｈは、クリックバネ８の回転を防止するための突起である。
スイッチノブ２は、その上面につまみ部を有するとともに、該つまみ部の裏面から延びる軸部２ｂを有する。つまみ部には、ロックレバー６の突起部（第１の凸部）６ｂが挿入され、かつ後述するロックカバー（カバー部材）３が嵌め込まれる穴部（アンロック操作用穴部）２ａが形成されている。電子機器のユーザがスイッチノブ２のスライド操作を行うときには、スイッチノブ２の軸部２ｂがスイッチパネル１の長穴部１ｂの端面に当接することで、スイッチノブ２の可動範囲が制限される。
ロックカバー３は、撥水性シリコンにより形成された弾性を有する部材である。ロックカバー３は、前述したようにスイッチノブ２の穴部２ａに嵌め込まれた状態で、その係合片部３ｂが穴部２ａの内側に形成された段差部に係合する。係合片部３ｂと穴２ａの段差部の内面との間にできる隙間は、接着剤によって埋められる。また、ロックカバー３において裏面側に開口した凹部３ｃには、ロックレバー６の突起部６ｂが挿入される。すなわち、ロックカバー３は、ロックレバー６の突起部６ｂのうち穴部２ａを貫通した先端部分を覆いつつスイッチノブ２に固定される。
撥水シート（第１のシート部材）４は、その一方の面が防水性を有する接着剤が塗布された接着面４ａで、他方の面が撥水性を有する撥水面４ｂとなっているシート部材である。撥水シート４は、その外周がスイッチノブ２のつまみ部の裏面の外周形状と同じ形状を持つように形成されている。撥水シート４に形成された穴部４ｃの内側には、ロックレバー６の突起部６ｂとスイッチノブ２の軸部２ｂが配置される。これにより、撥水シート４は、ロックレバー６の突起部６ｂとスイッチノブ２の軸部２ｂの外周を囲むように配置されて、接着面４ａがスイッチノブ２のつまみ部の裏面に接着される。
撥水シート（第２のシート部材）５は、その一方の面が防水性を有する接着剤が塗布された接着面５ａで、他方の面が撥水性を有する撥水面５ｂとなっているシート部材である。撥水シート５は、その外周がスイッチパネル１に形成された凹部１ａの底面の外周形状と同じ形状を持つように形成されている。また、撥水シート５は、スイッチパネル１に形成された長穴部１ｂと同じ形状を有する穴部が形成されている。撥水シート５は、凹部１ａの底面（スイッチノブ２がスライドする領域）に接着面５ｂにて接着される。
撥水シート４は、スイッチノブ２のスライド方向の位置にかかわらず、撥水シート５と必ずオーバーラップする大きさおよび形状を持つように形成されている。
ロックレバー６は、前述したように、突起部６ａがスイッチパネル１に形成されたロック溝部１ｄ，１ｅに選択的に係合することで、ロックレバー６とスイッチノブ２のスライドを阻止する。スイッチノブ２が図１における右側の位置にスライドした状態では、図３（ａ）に示すように、突起部６ａがロック溝部１ｅに係合する。また、スイッチノブ２が図１における左側の位置にスライドした状態では突起部６ａがロック溝部１ｄに係合する。
ロックレバー６には、フランジ部６ｃが形成されている。該フランジ部６ｃに形成された穴部６ｄには、スイッチノブ２の軸部２ｂが挿入される。また、フランジ部６ｃがスイッチパネル１に形成された凹部１ｃ内に、スライド方向Ａおよびアンロック操作方向Ｂにはスライド可能に、かつスライド方向Ａとアンロック操作方向Ｂに直交する方向には移動できないように配置される。
ロックカバー３の凹部３ｃ内に挿入されたロックレバー６の突起部６ｂが、ロックカバー３上からユーザによってアンロック操作方向Ｂに押し込まれると、ロックレバー６は同方向にスライドする。これにより、ロックレバー６の突起部６ａのロック溝部１ｄ又は１ｅに対する係合が解除され、スイッチノブ２のスライド方向Ａへのスライド操作が可能となる。
さらに、ロックレバー６の下面側には、後述する圧縮コイルバネ（第２の弾性部材）７をガイドする突起部６ｅが設けられている。この突起部６ｅは、クリックバネ８に形成された穴部８ｂに、該突起部６ｅの軸方向に移動可能に挿入される。クリックバネ８は、スイッチノブ２の軸部２ｂの下端にビス９によって取り付けられる。
【００１０】
圧縮コイルバネ７は、ロックレバー６のフランジ部６ｃとクリックバネ８とによって挟持され、ロックレバー６を常にアンロック操作方向Ｂとは反対方向、すなわちロックレバー６の突起部６ａをロック溝部１ｄ又は１ｅに係合させる方向に付勢している。また、圧縮コイルバネ７は、クリックバネ８を介してスイッチノブ２をスイッチパネル１に押し付ける方向、すなわち撥水シート４，５を圧接させる方向に付勢する。
クリックバネ８には、弾性を有する腕部８ｃと、該腕部８ｃの先端に形成され、前述したスイッチパネル１のクリック溝部１ｆ，１ｇに係脱するクリック爪８ａと、ロックレバー６の突起部６ｅが挿入される穴部８ｂとを有する。また、クリックバネ８には、後述するスライド式電気スイッチ１０のスライド突起１０ａが係合する係合溝部８ｄが形成されている。前述したように、クリックバネ８は、ビス９によってスイッチノブ２の軸部２ｂに取り付けられる。クリックバネ８の腕部８ｃの弾性力は、スイッチノブ２をスイッチパネル１に押し付ける方向、すなわち撥水シート４，５を圧接させる方向に付勢する。
このクリックバネ８の弾性力（付勢力）と前述した圧縮コイルバネ７の付勢力とによって撥水シート４，５が互いに圧接されることで、撥水シート４の撥水面４ｂと撥水シート５の撥水面５ａとが摺動が許容された状態で密着する。
クリックバネ８の腕部８ｃの弾性力は、本来、クリック爪８ａのクリック溝部１ｆ，１ｇに対する係脱によってスイッチノブ２のスライド操作に伴うクリック感を生じさせるものである。しかし、本実施例では、この弾性力を、撥水シート４，５を圧接させるための付勢力として利用することで、撥水シート４，５を圧接させるための専用のバネを設けることなく、簡易な構造で防滴性能を確保している。撥水シート４は、上述したようにロックレバー６の突起部６ｂとスイッチノブ２の軸部２ｂの外周を囲むように配置されている。このため、撥水シート５に圧接（密着）することで、スイッチノブ２とスイッチパネル１との間の隙間を通ってスイッチ内部に水が侵入することを回避できる。
スライド式電気スイッチ１０は、スイッチ本体と、クリックバネ８の係合溝部８ｄに係合するスライド突起１０ａと、不図示の電気回路に接続される端子１０ｂとを有する。該電気スイッチ１０は、スイッチパネル１の裏面に設けられた凹部１ｉに接着されて固定される。スイッチノブ２のスライド操作によってスライド突起１０ａが移動することで電気スイッチ１０のポジションが切り換えられ、電気スイッチ１０はそれぞれのポジションで異なる電気信号を出力する。
スイッチパネル１は、電子機器本体に対して防水性を有する接着剤で接着されたり、パッキンを介したビス止めによって固定されたりする。
本実施例によれば、スイッチノブ２がいずれのスライド位置に移動された場合でも、主としてクリックバネ８の腕部８ｃの弾性力（および圧縮コイルバネ７の弾性力）によって撥水シート４，５（撥水面４ｂ，５ｂ）を密着させる。これにより、撥水面４ｂ，５ｂの表面張力によって大きくなった水滴が毛細管現象によってスイッチ内部に侵入することを防止することができる。
【実施例２】
【００１１】
図４および図５には、本発明の実施例２であるロック機構付き防滴スライドスイッチを分解して示している。本実施例では、実施例１で使用されたロックカバー３および撥水シート４に代えて、ロックカバー１１を使用している。他の構成は基本的に実施例１と同じであるので、本実施例では実施例１と異なる構成についてのみ説明する。なお、本実施例において、実施例１と共通する構成要素には、実施例１と同符号を付す。
ロックカバー１１は、撥水性シリコンにより形成された弾性を有する部材である。ロックカバー１１には、スイッチノブ２の穴部２ａに挿入される凸部１１ａと、スイッチノブ２におけるつまみ部の裏面を覆うように該裏面に接着される底面部１１ｄとを有する。凸部１１ａの内側には、裏面側に開口した凹部１１ｃが形成されている。この凹部１１ｃには、ロックレバー６の突起部６ｂが挿入される。すなわち、ロックカバー１１は、ロックレバー６の突起部６ｂのうち穴部２ａを貫通した先端部分を覆いつつスイッチノブ２に固定され、かつスイッチノブ２におけるつまみ部の裏面を覆う。底面部１１ｄは、その外周がスイッチノブ２のつまみ部の裏面の外周形状と同じ形状を持つように形成されている。
【００１２】
ロックカバー１１の底面部１１ｄは、スイッチパネル１の凹部１ａの底面に接着された撥水シート５の撥水面５ｂに当接する。底面部１１ｄは、スイッチノブ２のスライド方向の位置にかかわらず、撥水シート５と必ずオーバーラップする大きさおよび形状を持つように形成されている。
そして、実施例１と同様に、クリックバネ８の腕部８ｃの弾性力（および圧縮コイルバネ７の弾性力）によってロックカバー１１の底面部１１ｄと撥水シート５の撥水面５ｂとが圧接（密着）する。
本実施例によれば、スイッチノブ２がいずれのスライド位置に移動された場合でも、撥水性を有するロックカバー１１の底面部１１ｄと撥水シート５の撥水面５ｂとが密着する。このため、底面部１１ｄと撥水面５ｂの表面張力によって大きくなった水滴が毛細管現象によってスイッチ内部に侵入することを防止することができる。
また、本実施例によれば、実施例１と比べて、撥水シート４が不要であるため、部品点数を減らすことができる。
以上説明した各実施例は代表的な例にすぎず、本発明の実施に際しては、各実施例に対して種々の変形や変更が可能である。
【産業上の利用可能性】
【００１３】
簡単な構造を有するロック機構付きの防滴スライドスイッチを備えた電子機器を実現できる。
【符号の説明】
【００１４】
１  スイッチパネル
２  スイッチノブ
３  ロックカバー
４  第１のシート部材
５  第２のシート部材
６  ロックレバー
７  コイルバネ
８  クリックバネ
１１  ロックカバー
２０  電子機器本体
【図１】
2011141972.tif 000003
【図２】
2011141972.tif 000004
【図３】
2011141972.tif 000005
【図４】
2011141972.tif 000006
【図５】
2011141972.tif 000007